(57)【要約】【課題】本発明は、展望用エレベータと同等の視野の映像を乗客に提供しつつ、設置費用を軽減させることができるエレベータを得ることを目的とするものである。【解決手段】昇降路１の壁面の一部は、例えば白色に塗られた映像スクリーン用壁１ａにより構成されている。また、昇降路１の上部の機械室には、巻上機２及びエレベータ制御盤３が設けられている。かご５の映像スクリーン用壁１ａ側の側面には、例えば透明ガラス等により形成される光透過部７が設けられている。また、かご５の上部及び下部には、映像投影部としての映像投影装置８が設けられている。映像投影装置８は、映像スクリーン用壁１ａに映像８ａを投影する。映像投影装置８及びスピーカ９には、かご５の上部に設けられた映像制御部としての映像制御装置１０が接続されている。【選択図】図１
2007276964.tif 000002
【特許請求の範囲】
【請求項１】
光透過部が設けられたかご、及び
上記かごに設けられ、上記光透過部に対向する昇降路壁に映像を投影する映像投影部
を備えていることを特徴とするエレベータ。
【請求項２】
上記映像投影部は、上記かごの上部及び下部の少なくともいずれか一方に配置されていることを特徴とする請求項１記載のエレベータ。
【請求項３】
上記映像投影部により投影される映像をエレベータの運行状況に基づいて制御するとともに、予め記憶された複数の映像コンテンツの中から上記映像投影部により投影される映像を選択する映像制御部
をさらに備えていることを特徴とする請求項１又は請求項２に記載のエレベータ。
【請求項４】
上記映像投影部により投影される映像をエレベータの運行状況に基づいて制御するとともに、上記映像投影部により投影される映像に対応する音声を上記かごに設けられた音声出力部から出力させる映像制御部
をさらに備えていることを特徴とする請求項１又は請求項２に記載のエレベータ。
【発明の詳細な説明】
【技術分野】
【０００１】
この発明は、例えば建物外部の風景等の映像をかご内の乗客に提供するエレベータに関するものである。
【背景技術】
【０００２】
一般的な展望用エレベータでは、建物の外壁に面するように昇降路が配置され、かご側面及び昇降路壁が透明ガラスにより構成されている。これにより、かご側面及び昇降路壁を透して、乗客が建物外部の風景を展望可能となっており、かご内の乗客の閉塞感及び圧迫感が緩和される。しかしながら、昇降路の配置場所により展望用エレベータを適用できない建物も多数存在している。
これに対して、従来のエレベータの外部映像表示装置では、かごの位置（高さに）に応じて、かご内に設けられた映像表示装置に、建物外部の風景映像が表示される（例えば、特許文献１参照）。
【０００３】
【特許文献１】特開平７−８１８５８号公報
【発明の開示】
【発明が解決しようとする課題】
【０００４】
上記のような従来のエレベータの外部映像表示装置では、映像の表示範囲が映像表示装置の大きさに限定されるので、展望用エレベータと同等の視野の映像を乗客に提供するために大型の映像表示装置をかご内に設置する必要があり、設置費用が高くなっていた。
【０００５】
この発明は、上記のような課題を解決するためになされたものであり、展望用エレベータと同等の視野の映像を乗客に提供しつつ、設置費用を軽減させることができるエレベータを得ることを目的とする。
【課題を解決するための手段】
【０００６】
この発明に係るエレベータは、光透過部が設けられたかご、及びかごに設けられ、光透過部に対向する昇降路壁に映像を投影する映像投影部を備えている。
【発明の効果】
【０００７】
この発明のエレベータは、かごに設けられた映像投影部によって、光透過部に対向する昇降路壁に映像が投影されるので、昇降路壁をスクリーンとすることにより、展望用エレベータと同等の視野を乗客に提供しつつ、設置費用を軽減させることができる。
【発明を実施するための最良の形態】
【０００８】
以下、この発明を実施するための最良の形態について、図面を参照して説明する。
実施の形態１．
図１は、この発明の実施の形態１によるエレベータを示す側面図である。
図において、昇降路１の壁面の一部は、例えば白色に塗られた映像スクリーン用壁１ａにより構成されている。また、昇降路１の上部の機械室には、巻上機２及びエレベータ制御盤３が設けられている。巻上機２のシーブには、ロープ４が巻き掛けられている。ロープ４の一端部には、複数の乗場階１ｂ間を移動されるかご（かご室）５が吊り下げられている。また、ロープ４の他端部には、釣合おもり６が吊り下げられている。かご５及び釣合おもり６は、巻上機２の回転によって昇降路１内を昇降される。
【０００９】
かご５の映像スクリーン用壁１ａ側の側面には、例えば透明ガラス等により形成される光透過部７が設けられている。また、かご５の上部及び下部には、映像投影部としての映像投影装置（超鋭角投影用プロジェクタ）８が設けられている。映像投影装置８は、映像スクリーン用壁１ａ（光透過部７に対向する昇降路壁）に映像８ａを投影する。かご５の内部には、音声出力部としてのスピーカ９が設けられている。映像投影装置８及びスピーカ９には、かご５の上部に設けられた映像制御部としての映像制御装置１０が接続されている。映像制御装置１０は、制御ケーブル１１によって、エレベータ制御盤３に接続されている。
【００１０】
図２は、図１のエレベータ制御盤３及び映像制御装置１０を具体的に示すブロック図である。図において、エレベータ制御盤３は、エレベータ制御部３ａを有している。エレベータ制御部３ａは、エレベータの運行状況に係わる情報を映像制御装置１０に送る。エレベータの運行状況に係わる情報には、エレベータがサービス中であるかどうかの情報であるエレベータサービス情報（サービス中検出信号）、かご５の位置の情報であるかご位置情報、現在時刻の情報である時計情報、及び建物仕様情報が含まれている。建物仕様情報とは、投影する映像コンテンツの選択の基準となる情報であり、昇降路１の高さ等を含めたエレベータの設置環境、及び建物の用途を示す情報である。
【００１１】
映像制御装置１０は、映像処理部１０ａ、映像切換部１０ｂ、映像記憶部１０ｃ及び音響制御部１０ｄを有している。映像処理部１０ａは、映像投影装置８の動作を制御する。映像処理部１０ａにより制御される映像投影装置８の動作とは、例えば電源ＯＮ／ＯＦＦ、映像投影範囲調整、ピント調整、及び上下の映像投影装置８の出力比の変更等の動作である。また、映像処理部１０ａは、エレベータの運行状況に係わる情報に基づいて、映像投影装置８により投影される映像８ａを制御する。
【００１２】
映像切換部１０ｂは、映像処理部１０ａからの指示に応じて、映像記憶部１０ｃに予め記憶された複数の映像コンテンツの中から、投影する映像コンテンツを選択する。また、映像切換部１０ｂは、選択した映像コンテンツのデータを映像処理部１０ａに送る。音響制御部１０ｄは、投影する映像に対応する音声信号を生成する。また、音響制御部１０ｄは、生成した音声信号をスピーカ９から出力させる。
【００１３】
ここで、映像記憶部１０ｃに記憶されている映像コンテンツの一例としては、建物からの季節毎の映像、及び（海中、空中及び宇宙空間等の）仮想空間映像等である。映像処理部１０ａは、時計情報に基づいて、運転時の時間帯に応じた映像（風景映像の場合は夕方又は夜間等）となるように輝度及び色彩を補整する。また、映像処理部１０ａは、かご位置情報に基づいて、かご５の昇降に対応する視点（視角）となるように映像を変動させる。即ち、映像処理部１０ａは、かご５の昇降に連動した映像を映像投影装置８に投影させる。
【００１４】
なお、エレベータ制御盤３及び映像制御装置１０は、演算処理部（ＣＰＵ）、記憶部（ＲＯＭ、ＲＡＭ及びハードディスク等）及び信号入出力部を持ったコンピュータ（図示せず）によりそれぞれ構成することができる。エレベータ制御盤３のコンピュータの記憶部には、エレベータ制御部３ａの機能を実現するためのプログラムが格納されている。映像制御装置１０のコンピュータの記憶部には、映像処理部１０ａ、映像切換部１０ｂ及び音響制御部１０ｄの機能を実現するためのプログラムが格納されている。
【００１５】
次に、動作について説明する。図３は、図２の映像制御装置１０の動作を示すフローチャートである。図において、まず、映像制御装置１０は、エレベータ制御盤３からのエレベータサービス情報に基づいて、エレベータがサービスを開始したかどうかを判断する（ステップＳ１）。そして、映像制御装置１０は、エレベータがサービスを開始するまで待機する。
【００１６】
エレベータがサービスを開始すると、映像制御装置１０は、映像を映像スクリーン用壁１ａに投影するために映像投影装置８の電源を投入し（ステップＳ２）、建物仕様情報に基づいて映像コンテンツを選択する（ステップＳ３）。そして、映像制御装置１０は、かご位置情報に基づいて映像の視点を変動させつつ、時計情報に基づいて色彩を補整し（ステップＳ４）、映像投影装置８へ補整した映像データを出力する（ステップＳ５）。これともに、映像制御装置１０は、映像データに対応する音声信号をスピーカに出力する。
【００１７】
また、映像制御装置１０は、映像投影装置８へ映像データを出力しながら、エレベータサービス情報に基づいて、エレベータがサービスを停止したかどうかを確認する（ステップＳ６）。そして、映像制御装置１０は、エレベータがサービスを停止するまで映像投影装置８へ映像データを出力し続ける。エレベータがサービスを停止すると、映像制御装置１０は、映像投影装置８の電源を遮断し（ステップＳ７）、エレベータがサービスを開始するまで待機する。
【００１８】
上記のようなエレベータでは、かごに設けられた映像投影装置が昇降路壁に映像を投影するので、昇降路壁をスクリーンとすることにより、展望用エレベータと同等の視野を乗客に提供しつつ、設置費用を軽減させることができる。
【００１９】
また、映像投影装置がかごの上部及び下部に配置され、かごの上下方向から映像が投影されるので、光透過壁からの視野全面に映像を投影可能なことにより、乗客による閉塞感及び圧迫感を緩和させることができるとともに、開放感を乗客に提供することができる。
【００２０】
さらに、予め記憶された複数の映像コンテンツの中から昇降路壁に投影する映像を切り換えるので、容易に映像を変更することができるとともに、設置環境（建物の用途、建物の意匠等）及び季節に適合した映像を乗客に提供することができる。
【００２１】
さらにまた、投影する映像に対応する音声信号をスピーカから出力させるので、かご内の乗客による閉塞感及び圧迫感をさらに緩和させることができる。
【００２２】
なお、実施の形態１では、映像投影装置８がかご５の上部及び下部の両方に配置されていれていたが、かごの上部及び下部の一方に映像投影部が配置されていてもよく、光透過部の大きさ及び位置に応じて映像投影部の配置場所を変更してもよい。
【図面の簡単な説明】
【００２３】
【図１】この発明の実施の形態１によるエレベータを示す側面図である。
【図２】図１のエレベータ制御盤及び映像制御装置を具体的に示すブロック図である。
【図３】図１の映像制御装置の動作を示すフローチャートである。
【符号の説明】
【００２４】
１  昇降路、２  巻上機、５  かご、７  光透過部、８  映像投影装置（映像投影部）、９  スピーカ（音声出力部）、１０  映像制御装置（映像制御部）。
【図１】
2007276964.tif 000003
【図２】
2007276964.tif 000004
【図３】
2007276964.tif 000005